(57)【要約】【解決手段】地中構造中にボアホールを掘削する間のボアホール装置（１０）のスティックスリップ振動を緩和するために、該ボアホール装置（１０）はコンピュータシミュレーション用の計算モデルでモデル化される（３１）。該モデルは、ボアホール装置（１０）の特定の機械的および物理的挙動を表すエレメントを備える。ボアホール装置（１０）のシミュレーションされたスティックモードでは、スティックモードからスリップモードへの遷移前のボアホール装置（１０）の初期状態を表す物理量が該要素にロードされる。こうした遷移のシミュレーションから、ボアホール装置（１０）の駆動システム（１５）とボトムホールアセンブリ（１１）の回転速度の時間応答が記録され、また、ボトムホールアセンブリ（１１）の回転駆動速度が０となる駆動システム（１５）の回転速度下限が決定される。【選択図】図６
2014534369.tif 000002
【特許請求の範囲】
【請求項１】
ボトムホールアセンブリ（１１）と回転駆動システム（１５）に連結された頂端（１４）とを有するドリルストリング（１２）と、前記駆動システム（１５）の回転駆動速度を制御する速度制御装置（２０）と、を備えた、地中構造中にボアホールを掘削するボアホール装置（１０）のスティックスリップ振動の緩和方法であって、
前記ボアホール装置（１０）によるボアホール掘削の間、前記駆動速度が駆動速度下限を上回るように前記速度制御装置（２０）を操作するステップを備えており、前記駆動速度下限は、
コンピュータシミュレーション用の等価な計算モデルによって前記ボアホール装置（１０）をモデル化するステップ（３０）と、
スティックモードからスリップモードに前記ボトムホールアセンブリが遷移するように、前記ボアホール装置の初期状態を表す物理量を前記モデルの要素にロードするステップ（３２）と、
前記ロードしたモデルにおいて、スティックモードからスリップモードへの前記ボトムホールアセンブリ（１１）の前記遷移を表す遷移をシミュレーションするステップ（３３）と、
前記シミュレーションステップから、前記モデルに緩和ダイナミクスを登録し（３４）、前記ボトムホールアセンブリ（１１）の回転駆動速度を表すステップと、
前記緩和ダイナミクスから、前記ボトムホールアセンブリ（１１）の前記回転駆動速度が０になる駆動速度として、前記駆動速度下限を決定するステップ（３６）と、から決定されることを特徴とする方法。
【請求項２】
前記シミュレーションするステップ（３３）は、
スティックモードからスリップモードへの前記ボトムホールアセンブリ（１１）の前記遷移を表す前記ロードされたモデルからステップ応答を適用するステップを備えることを特徴とする請求項１に記載の方法。
【請求項３】
前記速度制御装置（２０）は、前記駆動システム（１５）の定常運転中の前記駆動速度が、前記駆動速度下限を上回ってできるだけ低くなるように操作される（３７）ことを特徴とする請求項１または請求項２のいずれかに記載の方法。
【請求項４】
前記ボアホール装置（１０）の前記初期状態を表す前記物理量は、前記ボトムホールアセンブリ（１１）のスティックモードの結果として、予め巻かれたドリルストリング（１２）を含むことを特徴とする請求項１乃至請求項３のいずれかに記載の方法。
【請求項５】
前記モデル化するステップ（３０）は、前記ボアホールが掘削される実際の地中構造と掘削流体の表現を含むことを特徴とする請求項１乃至請求項４のいずれかに記載の方法。
【請求項６】
前記モデル（３０）は、電気的等価回路図、状態空間モデルあるいは動的シミュレーションモデルであることを特徴とする請求項１乃至請求項５のいずれかに記載の方法。
【請求項７】
前記駆動速度下限を決定するステップ（３６）は、前記ボアホール装置の一部が変更された後繰り返されることを特徴とする請求項１乃至請求項６のいずれかに記載の方法。
【請求項８】
前記速度制御装置（２０）は、前記ステップ応答を適用した時に前記駆動速度下限を減少させるように設定された比例動作Ｐと積分動作をＩとを有するＰＩ制御装置を備え、前記ボアホール装置（１０）によるボアホール掘削の間、前記設定した積分動作を適用して操作されることを特徴とする請求項１乃至請求項７のいずれかに記載の方法。
【請求項９】
前記速度制御装置（２０）は、追加の積分動作（Ａ１；４９）を備え、前記追加の積分動作は、前記ステップ応答を適用した時に、前記ボトムホールアセンブリ（１１）の前記駆動速度の設定を加速するように設定され、前記ボアホール装置（１０）によるボアホール掘削の間、前記積分動作を適用して操作されることを特徴とする請求項８に記載の方法。
【請求項１０】
前記追加の積分動作（Ａ１；４９）は、ねじりバネとしてモデル化された前記ドリルストリング（１２）のバネ定数またはバネ剛性に比例するように設定されることを特徴とする請求項９に記載の方法。
【請求項１１】
前記速度制御装置（２０）は、前記ボアホール装置（１０）によるボアホール掘削の間および前記駆動システム（１５）の前記駆動速度加速時に作動する、前記駆動システム（１５）の慣性補償を提供する慣性補償（Ａ２；５１）を備えることを特徴とする請求項８、請求項９または請求項１０に記載の方法。
【請求項１２】
前記モデル化するステップ（３１）、ロードするステップ（３２）、シミュレーションするステップ（３３）、登録するステップ（３４）および決定するステップ（３６）は、前記ボアホール装置（１０）とは別個のコンピュータシミュレーション用システム（４１）で行われることを特徴とする請求項１乃至請求項１１のいずれかに記載の方法。
【請求項１３】
ボトムホールアセンブリ（１１）と回転駆動システム（１５）に連結された頂端（１４）とを有するドリルストリング（１２）と、前記駆動システム（１５）に参照トルクを供給する速度制御装置（２０）と、を備えた、地中構造中にボアホールを掘削するボアホール装置（１０）のスティックスリップ振動を緩和するデバイス（４０）であって、前記速度制御装置（２０）は、前記ボアホール装置（１０）によるボアホール掘削の間、駆動速度が駆動速度下限を上回るように前記駆動システム（１５）を操作するために配置され、さらに、
コンピュータシミュレーション用の等価な計算モデルによって前記ボアホール装置（１０）をモデル化するステップ（３１）と、
スティックモードからスリップモードに前記ボトムホールアセンブリ（１１）が遷移するように、前記ボアホール装置（１０）の初期状態を表す物理量を前記モデルの要素にロードするステップ（３２）と、
前記ロードしたモデルにおいて、スティックモードからスリップモードへの前記ボトムホールアセンブリ（１１）の前記遷移を表す遷移をシミュレーションするステップ（３３）と、
前記シミュレーションステップから、前記モデルに緩和ダイナミクスを登録し（３４）、前記ボトムホールアセンブリ（１１）の回転駆動速度を表するステップと、
前記緩和ダイナミクスから、前記ボトムホールアセンブリ（１１）の前記回転駆動速度が０になる駆動速度として、前記駆動速度下限を決定するステップ（３６）のために配置されたコンピュータシミュレーション用のシステム（４１）を備えることを特徴とするデバイス（４０）。
【請求項１４】
前記速度制御装置（２０）は、比例動作Ｐと積分動作Ｉを有するＰＩ制御装置と、前記ボアホール装置（１０）によるボアホール掘削の間、前記ボトムホールアセンブリ（１１）の前記駆動速度の設定を加速するように前記駆動システム（１５）を操作する追加の積分動作を提供する制御部（４９）と、を備えることを特徴とする請求項１３に記載のデバイス（４０）。
【請求項１５】
前記速度制御装置（２０）は、前記ボアホール装置（１０）によるボアホール掘削の間および前記駆動システム（１５）の前記駆動速度加速時に作動するように配置された、前記駆動システム（１５）の慣性補償を提供する慣性補償器（５１）を備えることを特徴とする請求項１４に記載のデバイス（４０）。
【請求項１６】
前記速度制御装置（２０）はＰＩＩ制御装置として実施された電子制御装置であることを特徴とする請求項１４または請求項１５に記載のデバイス（４０）。
【請求項１７】
ボトムホールアセンブリ（１１）と回転駆動システム（１５）に連結された頂端（１４）とを有するドリルストリング（１２）を備えた、地中構造中にボアホールを掘削するボアホール装置（１０）の回転駆動システム（１５）の回転駆動速度を制御する電子制御装置（５０）であって、請求項１乃至請求項１２のいずれかに記載の方法から得られた前記駆動速度の駆動速度下限を格納するメモリを有する駆動速度制限デバイス（４７）を備えることを特徴とする電子制御装置（５０）。
【請求項１８】
比例動作Ｐと積分動作Ｉとを有し前記駆動システム（１５）を操作するＰＩ制御装置を備え、スリップモードからスティックモードに入る時に、前記ボトムホールアセンブリ（１１）の前記駆動速度の設定を加速するように前記駆動システム（１５）を操作する追加の積分動作を提供する少なくとも１つの制御部（４９）と、前記ボアホール装置（１０）によるボアホール掘削の間、前記駆動システム（１５）の前記駆動速度加速時に作動するように配置された前記駆動システム（１５）の慣性補償を提供する慣性補償器（５１）と、を備えることを特徴とする請求項１７に記載の電子制御装置（５０）。
【請求項１９】
前記電子制御装置はＰＩＩ制御装置として実施されていることを特徴とする請求項１８に記載の電子制御装置（５０）。
【請求項２０】
地中構造中にボアホールを掘削するボアホール装置（１０）であって、
ボトムホールアセンブリ（１１）と回転駆動システム（１５）に連結された頂端（１４）とを有するドリルストリング（１２）と、請求項１３乃至請求項１６のいずれかに記載の、前記駆動システム（１５）の回転駆動速度を制御するデバイス（４０）と、を備えることを特徴とするボアホール装置（１０）。
【発明の詳細な説明】
【技術分野】
【０００１】
本発明は、一般に、地中構造中にボアホールを掘削するボアホール装置に関する。本発明は、より具体的には、ボアホール掘削中のこうしたボアホール装置におけるスティックスリップ振動を緩和する方法、デバイスおよび電子制御装置と、これらの方法、デバイスまたは電子制御装置を装備した、およびこれに準拠して作動するボアホール装置に関する。
【背景技術】
【０００２】
用語「ボアホール」は一般に、下端にドリルビットを備えたドリルストリングを用いた、地中での垂直、水平および／またはその他の方向の掘削作業の結果を指す。ドリルストリングは、その上端すなわち頂端において、トップドライブあるいはロータリテーブルと呼ばれる地表の駆動システムによって駆動される。トップドライブまたはロータリテーブルは、電動モータまたは他の任意のタイプの駆動モータで駆動されて、ボアホール内のドリルビットに回転運動を与える。
【０００３】
典型的には、ドリルストリングは、互いにネジ式に接続された複数の管すなわちパイプから成る非常に細長い構造体であり、その長さは数百ｍ〜数千ｍであり得る。
【０００４】
ドリルストリングの下部はボトムホールアセンブリ（ＢＨＡ）と呼ばれ、ドリルカラーと呼ばれる重くて肉厚のパイプで構成されるが、ドリルビットはそこにある。
【０００５】
ドリルストリングは中空であり、潤滑のための掘削流体がボトムホールアセンブリに、およびノズルを通してビットに送り込まれる。掘削流体は、アニュラス、すなわちドリルストリングの外周とボアホール壁の間の空間を上昇して循環し、切削物をビットから地表に運ぶ。
【０００６】
ボアホールは、水や他の液体（油など）あるいはガス（天然ガスなど）の採取、地質工学的調査、環境サイトアセスメント、鉱物調査または測温などの一部としてあるいは、例えばピア設置や地下ユーティリティ用のパイロット穴として、などの多くの異なる目的で掘削され得る。
【０００７】
ボトムホールアセンブリは比較的短く肉厚のため、ねじり方向には剛性があり、使用時には、圧縮力により横たわみを生じる。ドリルストリングは長く肉厚が比較的薄いために、非常に柔軟な構造物であり、掘削の間、ボアホール装置、特にドリルストリングに多くの振動が誘起される。回転ドリルストリングとボトムホールアセンブリの場合は、ねじり振動、軸振動、縦振動あるいは横振動が誘起され得る。
【０００８】
軸振動によってビットバウンスが生じる可能性があり、そのために、ビットカッターやベアリングが破損し得る。横振動は非常に破壊的であり、ボトムホールアセンブリによってボアホール壁が影響を受けると、大きな衝撃が生じ得る。横振動によって、システムが後方旋回する可能性があり、高周波の大きな曲げモーメント変動が生成されて、構成要素や連結部に大きな疲労が生じ得る。組立のアンバランスによっても、ドリルストリングには遠心力で誘起された湾曲が生じる可能性があり、それによって前方旋回が生し、構成要素に偏り摩耗が生じ得る。ねじり振動は、特に、ドリルストリングのボアホールに沿ったスティックスリップ運動または振動を生じる。
【０００９】
スティックスリップは、ドリルビット表面と、地中構造あるいはボアホール内壁に接するドリルストリング表面間の摩擦力によって生じる現象である。これらの表面は、摩擦力の変化に応じて互いに張り付くかあるいは互い上を摺動する。極端な場合には、摩擦が大きくなって、ドリルビット、すなわちボトムホールアセンブリは一時的に、スティックモードと呼ばれる完全な停止状態になる。スティックモードの間、駆動システムの継続する回転駆動速度あるいは動きによって、ドリルストリングは巻かれる。ドリルストリングに形成されるトルクが摩擦を乗り越える大きさになると、ボトムホールアセンブリは、スリップモードと呼ばれる回転状態に再び入る。しかしながら、これによって、ドリルビットの動きの角加速度が突然飛躍的にあるいは段階的に上昇する可能性があり、その部分に過度の摩耗が生じ得る。スティックモードとスリップモードは、周期的に互いにかなり頻繁に繰り返す。
【００１０】
ドリルストリングが、誘起された回転振動によって負のトルク、すなわち駆動システムの回転方向に対して反対方向のトルクを形成し始めると、スティックスリップは装置の故障を引き起こす問題の主原因にもなる。負のトルクが摩擦閾値を越えると、パイプ接続は緩むであろう。
【００１１】
スティックスリップが生じると、掘削プロセスの有効性に影響が出て、計画された掘削作業に数日間もの遅れが生じる可能性があり、ペナルティフィーなどのリスクが伴う。
【００１２】
従って、様々な状況において、ボアホール装置でのスティックスリップ振動の影響を制御し、上記に概説した問題を可能な限り緩和しなければならない。
【００１３】
スティックスリップ現象の緩和については、今までに多くの研究がなされ、特許出願されてきた。例えば国際特許出願（ＷＯ）第２０１０／０６３９８２号には、スティックスリップ振動の周波数またはその近くで最小になるように設定されたねじり波の周波数依存反射係数を有する速度制御装置を操作することにより、周波数または波動伝播伝送線路方式に基づいたスティックスリップ振動の減衰が示唆されている。
【発明の概要】
【発明が解決しようとする課題】
【００１４】
この既知の方式での問題は、ボトムホールアセンブリが完全に停止するスティックモードにおいては、ボトムホールアセンブリの速度が明らかに０の時に、該周波数方式ではボアホール装置の物理的な挙動を正しく記述できないことである。さらに、ボトムホールアセンブリは実際には比較的低速度で回転しており、また、実際の掘削システムは非線形挙動を示すために、十分に正確な正弦波波形方式の適用は難しい。
【００１５】
本発明の目的は、地中構造中にボアホールを掘削するボアホール装置におけるスティックスリップ振動を緩和する方法を提供することである。
【００１６】
本発明の別の目的は、地中構造中にボアホールを掘削するボアホール装置におけるスティックスリップ振動を緩和するデバイスを提供することである。
【００１７】
本発明のさらなる目的は、地中構造中にボアホールを掘削するボアホール装置におけるスティックスリップ振動を緩和する回転駆動システムの回転速度を制御する電子制御装置を提供することである。
【００１８】
本発明のさらなる目的は、地中構造中にボアホールを掘削するボアホール装置であって、前記の方法に準拠して作動する装置および／または前記のデバイスまたは電子制御装置を装備した装置を提供することである。
【課題を解決するための手段】
【００１９】
本明細書および特許請求の範囲において、スティックスリップ振動に関連して使用される「緩和する」とは、「制御する」、「軽減する」、「低減する」、「和らげる」、「穏やかにする」、「取り除く」などの、最高でスティックスリップ振動を回避することを含む意味を含むように解釈されるものとする。
【００２０】
第１の態様では、地中構造中にボアホールを掘削するボアホール装置におけるスティックスリップ振動を緩和する方法が提供される。前記ボアホール装置は、ボトムホールアセンブリと回転駆動システムに連結された頂端とを有するドリルストリングと、前記駆動システムの回転駆動速度を制御する速度制御装置と、を備える。
【００２１】
前記方法は、
前記ボアホール装置によるボアホール掘削の間、前記駆動速度が駆動速度下限を上回るように前記速度制御装置を操作するステップを備えており、前記駆動速度下限は、
コンピュータシミュレーション用の等価な計算モデルによってボアホール装置をモデル化するステップと、
スティックモードからスリップモードに前記ボトムホールアセンブリが遷移するように、前記ボアホール装置の初期状態を表す物理量を前記モデルの要素にロードするステップと、
前記ロードしたモデルにおいて、スティックモードからスリップモードへの前記ボトムホールアセンブリの前記遷移を表す遷移をシミュレーションするステップと、
前記シミュレーションステップから、前記モデルに緩和ダイナミクスを登録し、前記ボトムホールアセンブリの回転駆動速度を表すステップと、
前記緩和ダイナミクスから、前記ボトムホールアセンブリの前記回転駆動速度が０になる駆動速度として、前記駆動速度下限を決定するステップと、から決定される。
【００２２】
前記方法は、スティックモードからスリップモードへの段階的遷移を考慮するためには、ボアホール装置におけるスティックスリップ振動は、周波数領域ではなく、時間領域で分析しなければならないという洞察に基づいている。
【００２３】
実際のボアホール装置を表す前記コンピュータモデルの要素が、スティックモードからスリップモードへの遷移前のボアホール装置の初期状態に適合するように、物理量を前記要素に適用することによって、ボアホール装置の遷移による影響をシミュレーション、測定および視覚化できる。
【００２４】
ボトムホールアセンブリの束縛から解放される状態、すなわち、スティックモードからスリップモードへの突然の遷移をシミュレーションするボアホール装置のこのようにロードされたモデルからステップ応答を適用することによって、前記システムは典型的には、動的システムの時間挙動すなわち緩和ダイナミクスを示すことが観察された。すなわち、定常状態に対して、ボトムホールアセンブリの回転速度がオーバーシュートした後にアンダーシュートする遷移相が生じる。アンダーシュート値によって、ボトムホールアセンブリの回転速度が０あるいは０近くになると、スティックスリップが生じる。ボトムホールアセンブリの回転速度が０または０近くになることが繰り返されることによって、ボアホール装置におけるスティックスリップ振動が生じる。
【００２５】
前記ステップ応答の適用から、ロードされたシステムに緩和ダイナミクスを登録することによって、ボトムホールアセンブリの回転速度が０になる駆動システムの最小の回転速度すなわち臨界速度が決定される。駆動システムの回転速度は、ボトムホールアセンブリの回転速度が０を上回るように、下限速度すなわち臨界速度を上回るように設定される。
【００２６】
本発明による方法により、前記速度制御装置のパラメータは、トータルシステムの動的挙動が最も強くなる最適な方法で評価・選択され、それによって、ボアホール装置によるボアホール掘削の間、スティックスリップ振動が緩和される。
【００２７】
ある実施形態では、前記速度制御装置は、前記駆動システムの定常運転中の駆動速度ができるだけ低くなるように、しかし臨界速度を上回るように操作される。これによって、オペレータは、スティックスリップと旋回を可能な限り緩和しながら、比較的大きなビット荷重を維持する低速度で掘削できる。なぜなら、ボトムホールアセンブリの回転速度が低い時は、スティックスリップと旋回はほとんど起きないからである。
【００２８】
最も簡単な実施形態では、前記シミュレーションは、前記ボアホール装置の初期状態を表す物理量が、前記ボトムホールアセンブリのスティックモードの結果として、予め巻かれたドリルストリングを含むように行なわれる。
【００２９】
駆動モータ、ドリルストリングおよびボトムホールアセンブリの機械的特性と速度制御装置の特性をモデル化することによって、多くの掘削作業にとって十分に正確な臨界駆動速度が決定できることが観察された。ボアホールが掘削される実際の地中構造と掘削目的のための掘削流体または泥水の表現が、前記モデル化に含まれていれば、駆動システムの回転速度の下限はさらにより正確に決定される。
【００３０】
すなわち、掘削される実際のボアホールのモデル化において、実際の地中構造と掘削流体あるいは泥水の影響を考慮することによって、ボアホール装置の時間挙動はさらにより正確にシミュレーションされて、全体としてのシステムの臨界速度と時間応答がより正確に決定できる。
【００３１】
第一次近似では、ドリルストリングの線形の計算シミュレーションモデルを使用してもよい。こうした線形モデルによって、コンピュータ処理能力と記憶容量には厳しい要件が求められないというメリットが実際に得られることがわかった。ドリルストリングの二次線形モデルはほとんどの場合に十分である。
【００３２】
本発明の目的のために、シミュレーションモデルは、ボアホール装置のダイナミクスをできるだけ正確にシミュレーションするために、動的システムに関する既知のコンピュータシミュレーション用計算モデルから選択してもよい。
【００３３】
ある実施形態では、コンピュータシミュレーションモデルとして、電気的等価回路図が使用される。しかしながら、等価な非線形力学モデル、状態空間モデルあるいは動的シミュレーションモデルを同様に使用してもよい。
【００３４】
駆動速度下限をボトムホールアセンブリの回転駆動速度が０になる駆動速度として決定するステップはさらに、適合した物理量とモデルパラメータを用いて、前記のロードするステップ、シミュレーションするステップおよび登録するステップを繰り返して最適化するステップを備えていてもよい。
【００３５】
さらなる管状部を用いてドリルストリングを延長する度に、ボアホール装置の、特にドリルストリングのダイナミクスが変わることは理解されるであろう。従って、スティックスリップの発生を回避し続けるには、スティックモードとスリップモードをシミュレーションするステップおよび駆動システムの回転速度下限を決定するステップは理想的には、ボアホール装置の一部が変更される度に繰り返される。前記速度制御装置は、こうして決定された駆動システムのより低い回転速度下限に従って操作されることは言うまでもない。
【００３６】
当業者であれば、ボアホール装置に対するその他の変更および／または新しい地中構造との遭遇、あるいはドリルストリングの進路が掘削中にそれる場合も、回転駆動速度の最新の下限を再構築する必要があることは理解するであろう。もちろん、使用するシミュレーションモデルに依存して再構築される。
【００３７】
前記速度制御装置が、比例動作Ｐと積分動作Ｉとを有するＰＩ制御装置を備える実施形態では、ＰおよびＩは、ステップ応答を適用した時に駆動速度下限を減少させるように設定される。速度制御装置は、ボアホール装置によるボアホール掘削の間、設定した積分動作を適用して操作される。
【００３８】
本発明によって、駆動システムは、スティックスリップの発生を有効に緩和しながら、減少した積分動作と組み合わされた補償された機械的慣性により、さらに低い臨界速度で操作されることが観察された。従って、ボアホール装置の回動操作速度範囲は、この測定によって広がる。
【００３９】
さらなる実施形態では、前記速度制御装置は追加の積分動作を含む。この追加の積分動作は、ステップ応答を適用した時に、前記ボトムホールアセンブリの駆動速度の設定を加速するように設定され、前記速度制御装置は、前記ボアホール装置によるボアホール掘削の間、設定した積分動作を適用して操作される。
【００４０】
この追加の積分動作によって、長引くスティック状況に遭遇時に駆動モータが加速され、ドリルストリングは、ボトムホールアセンブリのスティックモードの束縛から解放される状態をより早い時間に形成するためにより早く巻かれるであろう。
【００４１】
ある実施形態では、追加の積分動作は、ねじりバネとしてモデル化されたドリルストリングのバネ定数またはバネ剛性に比例するように設定される。
【００４２】
別の実施形態では、前記駆動システムの慣性補償が提供される。慣性補償は、前記ボアホール装置によるボアホール掘削の間、前記駆動システムの回転速度加速時に作動する。この慣性補償によって、前記ドリルストリングは、束縛から解放されるとすぐに加速される。
【００４３】
上記に開示したモデル化するステップ、ロードするステップ、シミュレーションするステップ、登録するステップおよび決定するステップは、前記速度制御装置にオンラインで接続されたコンピュータシステムなどの、前記ボアホール装置とは別個のおよび／またはそれから離れたコンピュータシミュレーション用のシステムで行なわれてもよい。
【００４４】
シミュレーションモデルを構成するいくつかの要素に対するパラメータ値は、当業者には知られているように、事前に得ることができ、表などに電子的に格納でき、および／またはボアホール装置の近似モデルから計算される。
【００４５】
さらなる態様では、地中構造中にボアホールを掘削するボアホール装置におけるスティックスリップ振動を緩和するデバイスが提供される。ボアホール装置は、ボトムホールアセンブリと回転駆動システムに連結された頂端とを有するドリルストリングと、前記駆動システムの回転駆動速度を制御する速度制御装置と、を備える。速度制御装置は、前記ボアホール装置によるボアホール掘削の間、回転速度が駆動速度下限を上回るように駆動システムを操作するために配置される。
【００４６】
前記デバイスは、
コンピュータシミュレーション用の等価な計算モデルによって前記ボアホール装置をモデル化し、
スティックモードからスリップモードに前記ボトムホールアセンブリが遷移するように、前記ボアホール装置の初期状態を表す物理量を前記モデルの要素にロードし、
前記ロードしたモデルにおいて、スティックモードからスリップモードへの前記ボトムホールアセンブリの前記遷移を表す遷移をシミュレーションし、
前記ステップ応答から、前記モデルに緩和ダイナミクスを登録し、前記ボトムホールアセンブリの回転駆動速度を表し、
および、前記緩和ダイナミクスから、前記ボトムホールアセンブリの前記回転駆動速度が０になる駆動速度として、前記駆動速度下限を決定するために配置されたコンピュータシミュレーション用のシステムを備える。
【００４７】
コンピュータシミュレーション用の前記システムは、上記に開示された本発明の方法を適用するために配置されており、遠隔コンピュータシミュレーションシステムなどのように、ボアホール装置すなわち速度制御装置からは物理的に別個に位置していてもよい。遠隔計算機システムは、駆動システムの回転速度を決定された下限を上回って維持するように、同回転速度を制御する速度制御装置にオンライン接続されてもよい。
【００４８】
コンピュータシミュレーション用のシステムは、駆動システムのより低い回転速度下限を決定するために、実際のボアホール装置、地中構造、掘削流体などの、機械的、電気的および他のシステムデータを含む電子図書館に接続されてもよい。例えばドリルオペレータにより、より低い回転速度下限を決定するためのシミュレーションデータの入出力のために、制御インターフェースを設けてもよい。
【００４９】
前記デバイスのある実施形態では、前記速度制御装置は、比例動作Ｐと積分動作Ｉを有するＰＩ制御装置と、前記ボアホール装置によるボアホール掘削の間、特にスリップモードからスティックモードに入る時に、前記ボトムホールアセンブリの前記駆動速度の設定を加速するように前記駆動システムを操作する追加の積分動作を提供する制御装置と、を備える。
【００５０】
前記デバイスの別の実施形態では、前記速度制御装置は、前記ボアホール装置によるボアホール掘削の間、特にスリップモードからスティックモードに入る時および前記駆動システムの前記回転速度加速時に作動するように配置された、前記駆動システムの慣性補償を提供する慣性補償器を備える。
【００５１】
前記慣性補償器は、ドリルストリングが、束縛から解放された直後より早く加速するように、駆動システムの質量補償を提供する。
【００５２】
前記デバイスのある実施形態では、前記速度制御装置はＰＩＩ制御装置として実施された電子制御装置である。
【００５３】
別の態様では、本発明は、地中構造中にボアホールを掘削するものであり、ボトムホールアセンブリと回転駆動システムに連結された頂端とを有するドリルストリングを備えるボアホール装置の回転駆動システムの回転駆動速度を制御する電子制御装置であって、本発明による方法から得られる駆動速度の駆動速度下限を格納するメモリを有する駆動速度制限デバイスを備える電子制御装置を提供する。前記速度制限デバイスは、駆動システムの回転速度を前記決定された臨界速度以上に制限するように設定されている。
【００５４】
ある実施形態では、前記電子制御装置は、比例動作Ｐと積分動作Ｉとを有し、前記駆動システムを操作するＰＩ制御装置であって、前記ボトムホールアセンブリの回転速度すなわち駆動速度の設定を加速するように前記駆動システムを操作する追加の積分動作を提供する制御部と、および／または、前記ボアホール装置によるボアホール掘削の間、特にスリップモードからスティックモードに入る時および前記駆動システムの前記駆動速度加速時に作動するように配置された前記駆動システムの慣性補償を提供する慣性補償器と、を備えるＰＩ制御装置を備える。前記電子制御装置は全体として、ＰＩＩ制御装置と呼ばれ得る。
【００５５】
また、本出願で開示されたように、本発明は、地中構造中にボアホールを掘削するボアホール装置であって、ボトムホールアセンブリを駆動する底端と回転駆動システムに連結された頂端とを有するドリルストリングと、駆動システムの回転速度を制御することによって、ボアホール装置のスティックスリップ振緩を動和するデバイスと、を備えるボアホール装置も提供する。
【００５６】
前記ボアホール装置は、スティックスリップ振動を緩和する本発明による方法、デバイスおよび電子制御装置のいずれかにより改良された新規の装置あるいはボアホール装置のいずれであってもよい。
【００５７】
本発明の上記およびその他の特徴と利点は、添付の図面を参照した以下の記述から最も理解されるであろう。図面中の同じ参照番号は、同じ部品あるいは同じまたは同等の機能または作用を果たす部品を示す。
【００５８】
提示された例は、コンピュータシミュレーションソフトウェアプログラムとしてＭＡＴＬＡＢ（登録商標）を使用した特定のコンピュータシミュレーションモデルに関するが、本出願の概要の部で開示した方法、デバイス、電子制御装置およびボアホール装置は、この種の方法とコンピュータシミュレーションソフトウェアプログラムに限定されないように解釈されるものとする。それとは反対に、本発明では、例えばＣＡＳＰＯＣ（登録商標）などの、動的システムの時間挙動をシミュレーションする任意の市販のコンピュータシミュレーションプログラムが適用されてもよい。
【図面の簡単な説明】
【００５９】
【図１】地中構造中にボアホールを掘削する従来のボアホール装置の概略図である。
【図２】ボアホール装置のボトムホールアセンブリ上のスティックスリップの典型的な回転速度−トルク曲線を示す。
【図３】本発明による図１のボアホール装置のスティックスリップ条件のコンピュータシミュレーション用の計算モデルを形成する概略の電気的等価回路図である。
【図４】調整されたシステム設定でのスティックモードからスリップモードへの遷移に対する、図３のモデルで得られる駆動システムとボトムホールアセンブリの回転速度のシミュレーションされた時間挙動を示す。
【図５】本発明によるシステム設定でのスティックモードからスリップモードへの遷移に対する、図３のモデルで得られる駆動システムとボトムホールアセンブリの回転速度のシミュレーションされた時間挙動を示す。
【図６】本発明による臨界速度決定のための簡略化されたフローチャートダイアグラムを示す。
【図７】本発明による違ったシステム設定で得られるスティックモードからスリップモードへの遷移に対する、図３のモデルで得られる駆動システムとボトムホールアセンブリの回転速度のシミュレーションされた時間挙動を示す。
【図８】追加の積分動作を備える、本発明による図１のボアホール装置のスティックスリップ条件のコンピュータシミュレーション用の計算モデルを形成する概略の電気的等価回路図である。
【図９】スティックモードからスリップモードへの遷移に対する、図８のモデルで得られた駆動システムの回転速度の３つのシミュレーションされた時間挙動を示す。
【図１０】スティックモードからスリップモードへの遷移に対する、図８のモデルで得られたボトムホールアセンブリの回転速度の３つのシミュレーションされた時間挙動を示す。
【図１１】本発明により装備され作動する、駆動システムの回転速度を制御する電子ＰＩＩ制御装置を有するボアホール装置の概略図である。
【発明を実施するための形態】
【００６０】
図１は、地中構造中にボアホールを掘削する掘削リグの典型的なボアホール装置１０の概略図である。ボアホールを掘削する切削工具はドリルビット１７と呼ばれ、ドリルストリング１２の底端１３でボトムホールアセンブリ（ＢＨＡ）１１に接続されている。ドリルストリング１２は、その頂端１４で回転駆動システム１５に接続されている。
【００６１】
ドリルストリング１２は、互いの端部をネジ式に接続された中空の管すなわちドリルパイプの長さを含む。典型的なドリルストリングの長さは、例えば０〜１０ｋｍなど数ｋｍであり、ドリルパイプの外径は約１００〜３００ｍｍ、肉厚は約１０〜５０ｍｍであり得る。ＢＨＡ１１は、例えば、外径が約２５０〜５００ｍｍ、肉厚が約１００ｍｍであり得る、ドリルカラーと呼ばれる重いパイプで構成されている。ＢＨＡの長さは、典型的には１００〜３００ｍの範囲である。ドリルストリング１２は長さに比して非常に細長い。
【００６２】
図示していないが、実際の掘削作業では、ドリルビット１７の冷却および潤滑のために、掘削流体がドリルストリング１２のドリルパイプを通ってドリルビット１７に向けて送り込まれる。掘削作業による切削物は、ドリルストリング１２の外周とボアホール（図示せず）間に形成されたアニュラスを流れる掘削流体によって地表に戻される。
【００６３】
ボトムホールアセンブリ１１は、数個のセンサーとトランスミッタ１６および、地中構造の一定の方向、例えば垂直、水平、ある角度でそらした方向、およびもちろんこれらの組み合わせなどの方向にボアホールを掘削するようにボトムホールアセンブリ１１を方向付ける方向性ツール（図示せず）を備える。
【００６４】
駆動システム１５は、トップドライブまたはロータリテーブルとも呼ばれ、ドリルストリング１２、ＢＨＡ１１、従ってドリルビット１７を回転させるための回転駆動システムモータ１８を備える。最近では、駆動システムモータは一般に、例えば、電力変換装置によって電力が供給される８００ｋＷ誘導電動機などの電動モータである。しかしながら、本発明は、同期機、ブラシ付き直流機、ディーゼルエンジン、油圧モータなどでも同様に適用できる。明示していないが、特定のギア減速またはある範囲のギア減速を有する変速機が駆動システムモータ１８とドリルストリング１２間に接続されてもよい。
【００６５】
ドリルストリング１２は、使用時には、くみ上げ機械でその頂端１４が上方に引っ張られる。底端１３上のＢＨＡ１１は、ドリルビット１７と共に地中構造にある。ドリルストリング１２の細長いドリルパイプは絶えず引っ張られているが、ＢＨＡ１１の厚肉の下部は部分的には圧縮されている。ドリルパイプは引っ張られていることによって、その部分の座屈が回避される。しかしながら、ドリルパイプ部のねじり剛性は、細長い構造のために比較的小さい。ＢＨＡ１１はねじり方向には固いが、ドリルビット１７に作用する圧縮力により横たわみを生じる。
【００６６】
掘削データと情報は、ディスプレイまたは他のデータ出力装置（図示せず）と、キーボード、タッチスクリーンなどの入力装置（図示せず）と、を備えたコンソール１９で表示され、掘削者は、中間にある速度制御装置２０を通して、ドリルビット１７の回転速度を制御する駆動システム１５の回転速度および／またはそのトルク限界を制御し得る。
【００６７】
実際には、いくつかのタイプの速度制御装置２０が開発・使用されてきており、その制御操作は、ある種の比例動作Ｐとある種の積分動作Ｉを提供するように操作可能な周知のＰＩ制御装置に従う。電動システムモータ１８の場合、例えば、速度制御装置２０は、駆動モータの電流と回転速度およびそれらの変動などの測定変数のいずれかあるいはすべてからのフィードバックで作動するように配置されていてもよい。これは、例えば、これらの変数のいずれかあるいは両方を制御することによって、駆動システム１５のエネルギー流れを制御するものである。
【００６８】
駆動システム１５は、所謂スピニングモードやメークアップモードなどの異なるモードで作動し得るが、本発明は、掘削者が、ドリルビット１７を押して旋回させ、またボアホールを掘削流体または泥水で洗い流すことによって、地中構造または地質構造から材料を有効に研磨あるいは切削することを狙ったドリルモードに係る。
【００６９】
ドリルビット１７の回転速度が比較的一定であることが、有効な地中貫通、ドリルの低摩耗、ほぼ無旋回の振動およびボトムホールアセンブリ１１に対する良好な操縦条件には最適であることが経験上わかっている。共通的な定常状態でのドリル回転速度は１００ｒｐｍと少し高く、ドリルビット１７に働く駆動トルクは、設定されたビット荷重（ＷＯＢ）に依存する。
【００７０】
掘削の間、ドリルストリング１２および／またはドリルビット１７とボアホール内およびその周囲の地質構造との機械的接触の結果として、ドリルストリング１２とドリルビット１７では摩擦力が変動する。ドリルビット１７とドリルストリングの底端部１３上の摩擦力は、ドリルストリング１２のドリルパイプのねじりたわみ性−これによってドリルパイプ自身は主に、特定のバネ定数またはストリング剛性Ｋｓ［Ｎｍ／ｒａｄ］を有するねじりバネとして挙動する−によって、ねじりスティックスリップ振動を生じ得る摩擦トルクを誘起する。駆動システム１５は、そのかなりの慣性Ｊｄ［ｋｇｍ２］のために、こうした摩擦力変動にはすぐには応答しない。
【００７１】
この結果、ドリルビット１７の定常運転中、摩擦の上昇によってドリルビット１７は減速し、最も深刻な場合には、ドリルビット１７は完全に停止する可能性がある。ドリルビット１７がスティックモードと呼ばれる停止状態あるいはほぼ停止状態になると、速度制御装置２０によって制御される駆動システム１５は、回転し続けてドリルストリング１２を駆動するであろう。ボトムホールアセンブリ１１は、回転しないかあるいは十分には回転しないので、ドリルストリング１２はバネ状に挙動して巻かれ、ボトムホールアセンブリ１１上のトルクは、束縛から解放される摩擦を乗り越えるレベルまで上昇する。この時点で、ボトムホールアセンブリ１１とドリルビット１７はやがて、スリップモードと呼ばれる回転状態に再び入る。
【００７２】
図２に示す非線形グラフは、例として、ドリルビットのスティックスリップ運転中の、ドリルビット上の摩擦トルクＴｂ［Ｎｍ］と回転速度ωｂ［ｒａｄ／ｓ］との関係を示す。図２は例図であるため、パラメータの特定の値は示していない。
【００７３】
完全な停止状態、すなわちスティックモードでは、ωｂ＝０、Ｔｓは、スティックモードにおける摩擦が乗り越えられる時の駆動トルク値、すなわち束縛から解放されるトルクとも呼ばれる値を表す。ドリルビットが合理的な速度で回転している定常状態におけるトルクをＴｄとする。妥当な想定では、Ｔｓ≒２Ｔｄである。ＴｄとＴｓの両方共、ビット荷重にほぼ線形に依存すると想定される。
【００７４】
図２から、スティックスリップダイナミクスが想定できる。定常運転の間のドリルビットおよび／またはドリルストリング、すなわちドリルビットトルクＴｄが上昇した摩擦に遭遇すると、ドリルビットは、ドリルビット上の駆動トルクＴｂが上昇して、ドリルビットが束縛から解放されるＴｓに達するまで減速する。解放されると、ドリルビットの回転速度ωｂは急上昇し、ドリルビット上のトルクは、該摩擦を乗り越えるには小さすぎるＴｄ値まで減少してドリルビットは減速する。こうして、スティックスリップサイクルが繰り返される。
【００７５】
ドリルビットは必ずしも完全な停止状態、すなわちωｂ＝０ｒａｄ／ｓである必要はなく、角回転速度が例えば０．１ｒａｄ／ｓ程度未満まで減速すればよい。
【００７６】
こうしたスティックスリップ振動は、ドリルビットの耐用年数とボアホール運転の有効性には全体として非常に有害であり、また、ボアホール装置の深刻な振動の主要な原因であり、ドリルストリングを構築するドリルパイプの損傷と脱落の危険性が増加することが観察された。
【００７７】
観察された中で重要な点は、スティックスリップ振動周波数は一定ではないということである。スティックスリップモードにおいて、ドリルストリングの頂端速度がゆっくり減少すると、以降のドリルビット回転速度急上昇間の時間が長くなることが観察された。これは、頂端速度が減少すると、ドリルストリングがさらにゆっくり巻かれて、束縛から解放されるトルクに達する時間も長くなるものと理解される。この非線形の挙動と、ドリルビットまたはボトムホールアセンブリの０またはそれに近い非常に低い回転速度によって、スティックスリップ現象を解決する信頼できる周波数方式または波動方式が妨げられる。
【００７８】
図３は、本発明による図２のボアホール装置のスティックスリップ条件のコンピュータシミュレーション用の計算モデルを形成する電気要素を含む概略の電気的等価回路図である。
【００７９】
図３のモデルでは、主にねじりバネとして作動するドリルストリング１２は、インダクタンス値Ｌ２＝１／Ｋｓ［Ｈ］を有する誘導子Ｌ２としてモデル化される。駆動システム１５の慣性は、容量値Ｃ１＝Ｊｄ［Ｆ］を有するコンデンサＣ１としてモデル化される。ボトムホールアセンブリの慣性は、容量値Ｃ２＝Ｊｂ（Ｊｂはボトムホールアセンブリ１１の慣性）を有するコンデンサＣ２としてモデル化される。図３ａのモデルでは、誘導子Ｌ２は、コンデンサＣ１およびＣ２に直列に接続される。
【００８０】
速度制御装置２０は、ＤＣ電圧源Ｖ０で表され、電圧値Ｖ０＝ω０［Ｖ］を有し、中間の並列誘導子／抵抗回路、すなわちインダクタンス値Ｌ１＝１／Ｋ１［Ｈ］を有し剛性Ｋ１［Ｎｍ／ｒａｄ］と等価な作用を有する積分Ｉを表す誘導子Ｌ１と、抵抗値Ｒ１［Ω］を有し速度制御装置２０によってもたらされる減衰Ｃｆ［Ｎｍｓ／ｒａｄ］と等価な作用を有する比例１／Ｐを表す抵抗器Ｒ１と、によって、コンデンサＣ１と誘導子Ｌ２に直列に接続された参照速度源ω０を含む従来のＰＩ制御装置としてモデル化される。
【００８１】
図３の等価回路図のモデルでは、駆動システム１５の回転速度ωｄは、コンデンサＣ１間の電圧Ｖ１に等しく、ボトムホールアセンブリ１１の回転速度ωｂは、コンデンサＣ２間の電圧Ｖ２に等しい。ボトムホールアセンブリ１１に働くトルクＴｂは、電流値がＩ２［Ａ］の電流源Ｉ２によってモデル化される。
【００８２】
スティックモードからスリップモードへの遷移では、図３では、スイッチＳが開いて電流Ｉ２がコンデンサＣ２内を流れる。これは、停止からスタートして、ＢＨＡが加速されるステップを表す。Ｖ２が０になると、スイッチＳは閉じる。Ｉ２で表されるトルクがＴｄを超えると、スイッチＳは開く。
【００８３】
図４は、調整されたシステム設定でのスティックモードからスリップモードへの遷移に対する、図３のモデルで得られた駆動システム１５とボトムホールアセンブリ１１の回転速度のシミュレーションされた時間挙動を示す。水平軸は時間ｔ［ｓ］を表し、垂直軸は電圧Ｖ［Ｖ］あるいは回転速度ωを表す。電圧０あるいは回転速度０は、図４のグラフ中、水平の破線２１で示される。
【００８４】
図４に示すシミュレーションでは、以下の数値を図３のいくつかの電気部品に適用する：
Ｖ０＝４Ｖ            ÷  ω０＝４ｒａｄ／ｓ
Ｃ１＝２０００Ｆ      ÷  Ｊｄ＝２０００ｋｇｍ２
Ｃ２＝５００Ｆ        ÷  Ｊｂ＝５００ｋｇｍ２
Ｌ１＝０．０００５Ｈ  ÷  Ｋ１＝２０００Ｎｍ／ｒａｄ
Ｌ２＝０．００２Ｈ    ÷  Ｋｓ＝５００Ｎｍ／ｒａｄ
Ｒ１＝０．０００５Ω  ÷  Ｃｐ＝２ｋＮｍｓ／ｒａｄ
Ｉ２＝５ｋＡ          ÷  Ｔｄ＝５ｋＮｍ
【００８５】
５ｋＮｍの泥水トルクは、等価回路図では、Ｉ２＝５ｋＡで表されるとする。スティックスリップモードを生じる地中構造は、コンデンサＣ２と平行のスイッチＳ２でモデル化される。このスイッチＳ２が閉じた（すなわち、電流が流れる）位置は、電圧Ｖ２が０であり、それは、ボトムホールアセンブリの速度ωｂが０、すなわちドリルビット１７の完全な停止状態と等価であるとシミュレーションされる。
【００８６】
上記の設定は、例えば石灰質上の地中構造中、垂直に真っ直ぐボアホールを掘削時のボアホール装置１０を表している。当業者であれば、例えば、シミュレーションされた泥水トルクを違った値にするなどの、その他の設定も実行可能であることは理解するであろう。
【００８７】
本発明に従って、ドリルスプリング１２は、スティックモードが終了しスリップモードに遷移する直前のトルク１０ｋＮｍを表す初期条件で予め巻かれていると仮定する。図３の調整された電気モデルでは、これは、誘導子Ｌ２にロードされた初期電流Ｉｉ：１０ｋＡで表される。この初期電流Ｉｉは、図３では破線で示される。導入部の点で、要素Ｌ２、すなわち該モデルでの誘導子は、物理量すなわち初期電流１０ｋＡをロードされている。
【００８８】
スティックモードからスリップモードへの遷移は、スイッチＳを開くことによって、すなわちスイッチＳを電流非伝導位置とすることによってシミュレーションされる。しかしながら、予め巻かれたストリングでシミュレーションすると、Ｓはｔ＝０で開くと考えられ、従って、スイッチ操作のシミュレーションは必要ではない。
【００８９】
駆動システム１５の回転速度ωｄ＝Ｖ１のシミュレーションされた時間挙動、すなわち図４の破線と、ボトムホールアセンブリ１１の回転速度ωｂ＝Ｖ２のシミュレーションされた時間挙動、すなわち図４の実線と、から、ｔ＝０におけるスティックモードからスリップモードへの遷移後、ボトムホールアセンブリ１１の回転速度は、参照番号２９と２２で示すように０と交差し、また、参照番号２３で示すように回転速度を反転させる、すなわち負電圧Ｖ２となることはすぐに理解されるであろう。
【００９０】
スティックスリップを緩和するには、図４の緩和ダイナミクスのＶ２に示すように、ボトムホールアセンブリの速度ωｂは０に近すぎてはいけず、また確かに０以下であってはならない。
【００９１】
スティックモードが生じなければ、定常状態モードにおいて、駆動システムおよびボトムホールアセンブリの回転速度は、適用された参照回転速度Ｖ０に等しいことは明らかである。
【００９２】
図５は、図４での場合と同様のシステム設定と要素のロードに対して、すなわち、誘導子Ｌ２への電流１０ｋＡの適用に対して、スティックモードからスリップモードへの遷移に対する、図３のモデルで得られる駆動システムＶ１の回転速度のシミュレーションされた時間挙動、すなわち破線と、ボトムホールアセンブリＶ２の回転速度のシミュレーションされた時間挙動、すなわち実線と、を示す。ここで、速度制御装置２０の参照回転速度ω０は６ｒａｄ／ｓ、すなわちＶ０＝６Ｖに設定する。
【００９３】
このシミュレーションから、ボトムホールアセンブリの回転速度、すなわちＶ２はもはや０と交差せず、また十分０を上回る。図５の遷移期中のＶ２のグラフの○で囲まれた点２４によって、ボトムホールアセンブリ１１の回転速度が０の線２１と交差しない駆動システム１５の下限、すなわち臨界回転速度ω０が決定される。
【００９４】
上記に概説した設定と等価回路図では、例えば、最小の参照回転速度ω０＝６ｒａｄ／ｓｅｃに等しい臨界回転速度ωｃで速度制御装置２０を操作することにより、ボトムホールアセンブリ１１の回転速度ωｂは十分に高く維持されて、ボアホール装置がスティックスリップモードに入ることが防げる。
【００９５】
上記に開示したように、駆動システムの回転速度の下限、すなわち臨界速度を決定するステップを、本発明による方法のフローチャートダイアグラム３０によって、図６に概略的に示す。フローの方向は、このシートの上から下とする。他の指示はそれぞれの矢印によって示される。
【００９６】
第一のステップとして、地中構造中にボアホールを掘削するボアホール装置１０は、コンピュータシミュレーション用の等価な計算モデル、すなわちブロック３１：「コンピュータシミュレーションモデルの選択と、実際のボアホール装置を表す構成要素値の適用」によってモデル化される。
【００９７】
ボアホール装置は、ドリルストリング１２、ボトムホールアセンブリ１１、回転駆動システム１５、およびドリルビット１７の回転速度を制御する速度制御装置２０を含むいくつかの部品を備える。選択されたモデルは、このボアホール装置１０の実際の機械的および物理的な挙動を表す要素を備え、また、このモデルの各構成要素は、それぞれの構成要素が表すボアホール装置の一部の機械的および物理的特性に対応する値を割り当てられる。好適な実施形態では、該モデルは、図３に示すタイプの線形の電気的等価回路図であり、これによって、ボアホールアセンブリ１１の回転速度の時間挙動は、速度制御装置２０の運転と駆動システム１５の回転速度の関数において決定される。
【００９８】
次に、ブロック３２：「要素に初期状態物理量をロード」で示すように、モデルの各構成要素は、初期条件に相当する値を割り当てられる。この場合、初期条件は、ボトムホールアセンブリ１１の束縛から解放される直前の、ボアホール装置の機械的および物理的状態に対応してロードされる。
【００９９】
ブロック３３：「スティックモード終了のシミュレーション」では、束縛から解放される瞬間、すなわちスティックモードの終了がモデルの中でシミュレーションされる。図３を参照して上記に開示したように、こうしたシミュレーションは、スイッチＳを、閉じた状態すなわち電流伝導状態から、開いた状態すなわち非伝導状態に開くステップを備えていてもよい。これによって、ＢＨＡの加速の段階的な変化と等価なモデルのステップ応答挙動が生じる。ＢＨＡ速度がトップドライブ速度を超えるとすぐに、ドリルストリングトルクは減少し始めるであろう。
【０１００】
例えば図４および５に示すように、適切な初期条件を用いたシミュレーションモデルは、束縛から解放された直後のボトムホールアセンブリ１１のダイナミクスのシミュレーションに非常に適している。例えばボトムホールアセンブリと駆動システムの回転速度を記録したグラフを図４および５に示すが、応答の番号およびその他の表示は同様のものである。ブロック３４：「シミュレーションから緩和ダイナミクスの登録」
【０１０１】
ボトムホールアセンブリの回転駆動速度を表す登録された緩和ダイナミクスから、アンダーシュートの下限は決定される。時間応答のグラフ表示において、これは、ダイナミクス曲線の最小値、すなわち、図３の曲線Ｖ２の２３および２４位置である。ブロック３５：「ボトムホールアセンブリの回転速度下限の決定」
【０１０２】
この時点において、ボトムホールアセンブリ１１の回転速度が０以下になることを防ぐ駆動システム１５の最小の回転速度、すなわち臨界速度は、ブロック３６：「ボトムホールアセンブリの回転速度下限からの駆動システムの回転速度下限の決定」における記録された緩和ダイナミクスから決定される。
【０１０３】
ボアホール装置、すなわち速度制御装置２０は、上記のように決定された臨界速度を観察しながら、駆動システム１５の回転速度が下限を上回るように操作される。ブロック３７：「駆動システムの回転速度下限を観察しながらの速度制御装置の操作」
【０１０４】
掘削中に、ドリルストリング１２はより多くのドリルパイプによって延長され、ドリルビットの方向と遭遇する地中構造の材料特性、従って駆動システムの臨界速度は変化し得る。
【０１０５】
判定ブロック３８：「装置／環境は変化？」では、そうした変更条件が提供される。判定ブロック３８の結果が「はい」の場合、変化した条件に対して臨界速度が決定されるであろう（ステップ３１〜３７）。ボアホール装置の変化が臨界速度の新規の決定を正当化するにはまだ小さい場合、すなわち、ブロック３８の結果が「いいえ」の場合、ボアホール装置は、設定された駆動速度、すなわちブロック３７に準じた速度で、ボアホールの掘削を継続するであろう。
【０１０６】
スティックモードに入り、例えば、スムーズな掘削作業を行うためにドリルストリングに適用しなければならないビット荷重が変化した場合、臨界速度を再度決定するか否かの判断は、例えば、ドリルストリング１２の長さに関する検知値などに基づいてもよい。
【０１０７】
ブロック３５および３６での駆動速度下限の決定前あるいは決定時に、判定ブロック３９：「さらなる最適化？」の結果「はい」で示すように、ブロック３２、３３、３４におけるロードするステップ、シミュレーションするステップ、登録するステップを繰り返して最適化を適用してもよい。
【０１０８】
図７は、図５での場合と同様のシステム設定だが、Ｌ１＝０．００１Ｈと高い値を、すなわちＰＩ制御装置の剛性をＫ１＝１０００Ｎｍ／ｒａｄと小さく設定し、スティックモードからスリップモードへの遷移に対する、図３のモデルで得られる駆動システムＶ１の回転速度のシミュレーションされた時間挙動、すなわち破線と、ボトムホールアセンブリＶ２の回転速度のシミュレーションされた時間挙動、すなわち実線と、を示す。
【０１０９】
図からわかるように、より低いＫ１値、すなわち速度制御装置２０によって提供されるＩ−動作が低減することによって、ボトムホールアセンブリ１１の回転速度のダイナミック応答はより緩やかになり、すなわち、電圧Ｖ２の電圧のアンダーシュートははるかに低減され、従って、Ｖ２のグラフの○で囲まれた点２５を０を上回って維持するための駆動システム１５の臨界速度ははるかに低減されている。すなわち、図７のシミュレーションでは、ボトムホールアセンブリの回転速度が０あるいは０近くになるのを回避するための参照回転速度ω０は約３ｒａｄ／ｓｅｃで十分である。
【０１１０】
図７から、速度制御装置２０が比例動作Ｐと積分動作Ｉを有するＰＩ制御装置を備えている場合、ボアホール装置によるボアホール掘削の間、低減された操作回転速度で有効にスティックスリップ振動を緩和するために、臨界速度は、積分動作を減少させることによって低減できることが理解されるであろう。
【０１１１】
しかしながら、実際には、掘削機器のオペレータは、できる限り安定した掘削作業を維持しようとしており、このことは、速度制御装置のパラメータを設定する適合を出来るだけ少なくし、また、束縛から解放された瞬間から定常状態までのボアホール装置の設定時間をできるだけ短くすることを示唆している。さらに、オペレータは、駆動システムの回転速度範囲をできるだけ広くして掘削機器を操作したいと考えており、その範囲の上限は、駆動システムの機械的制限で決定され、下限は、上記のように臨界速度によって決定される。
【０１１２】
スティックスリップ振動を緩和しながら、設定時間の短縮と駆動システムの広範囲の回転速度とを得るために、図８の等価回路図では、速度制御装置の追加の積分動作をシミュレーションする。この追加の積分動作は積分器Ａ１で表され、その出力は、加法器Σによって電流源Ｉ１の制御入力に接続され、その電流Ｉ１は、誘導子Ｌ２を流れる電流に、すなわちドリルストリングのトルクの等価物に、加えられる。モデル化の目的で、Ｌ１を流れる電流の測定は、変流器Ｔによって概略的に示されている。
【０１１３】
積分器Ａ１のインプットはＬ１を流れる電流と等しい。積分器Ａ１は、積分動作Ｉからストリング内の平均トルクを引き受けることによって、Ｌ１を流れる電流が平均して０になるように制御する。この追加の積分動作は、ボトムホールアセンブリ１１上のトルクが上昇した時、すなわちスティックモードに入った時に優先的に作動する。
【０１１４】
ボアホールを掘削する場合、速度制御装置は、ボアホール装置のモデルでシミュレーションされたように、積分動作を適用して操作される。
【０１１５】
図８にも概略的に示すさらなる実施形態では、慣性補償器Ａ２で示す慣性補償が実施される。慣性補償器Ａ２は、ボアホール装置によるボアホール掘削の間、駆動システムの回転速度加速時に作動する。慣性補償器Ａ２の出力によって、加法器Σを経由して電流源Ｉ１が制御される。
【０１１６】
慣性補償器Ａ２は、使用されると、駆動システム１５の加速に比例する電流Ｉ１、すなわちコンデンサＣ１を流れ、係数を乗じられ、電荷ＱによりＣ１を有効にバイアスさせてその有効容量を低減させる効果を有する電流を制御する。
【０１１７】
機械的な点で、駆動システム１５の加速に比例したトルクは、ドリルストリング１２の頂端１４で注入される。この追加のトルクは、ドリルストリングで起こるように、駆動システム１５の慣性を有効に低減する。従って、慣性補償器Ａ２は、駆動システムの慣性を低下させる。慣性が小さいほど、束縛から解放された瞬間に、トップドライブをより速く加速させるであろう。従って、ドリルストリングにおける引っ張りの低下は制限されるであろう。
【０１１８】
ボアホールを掘削する場合、速度制御装置は、ボアホール装置のモデルでシミュレートされたように、さらに追加の積分動作を適用して操作される。
【０１１９】
追加の積分動作の影響は、速度制御装置に複数の設定がなされた駆動システムおよびボアホール装置それぞれの回転速度の時間応答で示される。
【０１２０】
図９は、駆動システムの回転速度の時間応答すなわち緩和ダイナミクスを示しており、図１０は、ボトムホールアセンブリの時間応答すなわち緩和ダイナミクスを示す。
【０１２１】
破線は、図３のモデルとロードに従い、ＰＩ速度制御装置の構成要素を下記のように設定したボアホール装置のシミュレーションされた時間応答を示す：
Ｃ１＝２０００Ｆ        ÷  Ｊｄ＝２０００ｋｇｍ２
Ｃ２＝５００Ｆ          ÷  Ｊｂ＝５００ｋｇｍ２
Ｌ１＝０．００００５Ｈ  ÷  Ｋ１＝２０ｋＮｍ／ｒａｄ
Ｌ２＝０．００２Ｈ      ÷  Ｋ２＝５００Ｎｍ／ｒａｄ
Ｒ１＝０．００００５Ω  ÷  Ｃｐ＝２０ｋＮｍｓ／ｒａｄ
【０１２２】
一点鎖線は、ＳＯＦＴ  ＴＯＲＱＵＥＲ（登録商標）として既知であり、ＵＳ特許第５，１１７，９２６号で開示されている市販の、従来技術による速度制御装置の制御方法に従ったボアホール装置のシミュレーションされた時間応答である。図３の回線図に対する比較構成要素の設定は以下の通りである：
Ｃ１＝２０００Ｆ      ÷  Ｊｄ＝２０００ｋｇｍ２
Ｃ２＝５００Ｆ        ÷  Ｊｂ＝５００ｋｇｍ２
Ｌ１＝０．０００５Ｈ  ÷  Ｋ１＝２０００Ｎｍ／ｒａｄ
Ｌ２＝０．００２Ｈ    ÷  Ｋ２＝５００Ｎｍ／ｒａｄ
Ｒ１＝０．００２２Ω  ÷  Ｃｐ＝４５０ｋＮｍｓ／ｒａｄ
【０１２３】
実線は、図３のモデルに従い、積分器Ａ１と慣性補償器Ａ２によって提供される追加の積分動作を備え、上記のように作動し得るＰＩＩ速度制御装置のシミュレーションされた時間応答である。解放された瞬間に作動し得る追加の積分動作の結果としての有効な構成要素設定は以下の通りである：
Ｃ１＝５００Ｆ          ÷  Ｊｄ＝５００ｋｇｍ２
Ｃ２＝５００Ｆ          ÷  Ｊｂ＝５００ｋｇｍ２
Ｌ１＝０．００４Ｈ      ÷  Ｋ１＝２５０Ｎｍ／ｒａｄ
Ｌ２＝０．００２Ｈ      ÷  Ｋ２＝５００Ｎｍ／ｒａｄ
Ｒ１＝０．００１１８Ω  ÷  Ｃｐ＝８５０Ｎｍｓ／ｒａｄ
【０１２４】
機械的な点で、破線は、非常に固い駆動システムを表す。一点鎖線は、駆動システムのモータ電流（トルク）に基づいたフィードバックを有する駆動システムを表し、実線は、本発明による補償された駆動システムを表す。
【０１２５】
図９および図１０に示した本発明に従った両方のシミュレーションにおいて、ドリルスプリング１２は、スティックモードが終了しスリップモードに遷移する直前に、ボトムホールアセンブリ上のトルク：１０ｋＮｍを表す初期条件で予め巻かれているとする。図３のこの調整された電気モデルでは、Ｌ１およびＬ２の初期電流：１０ｋＡで表される。
【０１２６】
図１０では、ボトムホールアセンブリの３つのシミュレーションされた回転速度の最小値に円マークを付し、破線、一点鎖線および実線に対して参照番号２６、２７および２８それぞれで示す。上記で開示したように、これらの最低値は、スティックモードから解放された状態において、これらの点２６、２７および２８を、０を上回って維持する必要がある駆動システムの臨界速度を表す。
【０１２７】
堅い場合、すなわち破線の曲線では、駆動システムの回転速度は約１９．６ｒａｄ／ｓを上回る必要がある。ＳＯＦＴ  ＴＯＲＱＵＥＲ（登録商標）の場合、臨界速度は１１．４ｒａｄ／ｓであり、本発明による補償の場合は、用いたシステム前提下で、スティックスリップ状況から回復できる最低回転駆動速度はわずか０．６ｒａｄ／ｓである。
【０１２８】
図９および図１０から、本発明による補償されたシステムすなわち実線では、他の設定と比較して、回復が非常に速いことがわかる。特に、付加的な積分器Ａ１の作用によって、臨界速度を犠牲にすることなく、スティックモードにおける中の束縛から解放されるトルクにはるかに速く到達できるようになる。図９に示すように、慣性補償器Ａ２によって駆動システムの加速が支援され、ボアホール装置は、広い回転速度範囲で作動できる。
【０１２９】
図１１は、本発明に従って地中構造中にボアホールを掘削する間、ボアホール装置１０のスティックスリップ振動を緩和するデバイス４０を概略的に示す。図１に示すボアホール装置１０に加えて、コンピュータシミュレーション４１用システムが備えられる。シミュレーションシステム４１は、コンピュータまたは処理デバイス４２と、キーボード、タッチスクリーンなどの入力インターフェース４３であって、ボアホール装置のコンピュータシミュレーションモデルを選択し、ボアホール装置１０の駆動システム１５とボトムホールアセンブリ１１の運転をシミュレーションするためにパラメータ値初期値を設定する入力インターフェース４３と、を備える。ボアホール装置のシミュレーションされた時間応答は、グラフィックディスプレイ、プリンターまたはプロッターなどの出力インターフェース４４あるいはシミュレーションされた応答を評価するデータ評価モジュールに提供されて、ボアホール装置の臨界速度が得られる。シミュレーションモデル、パラメータ値と初期値、シミュレーションされた応答および本発明に従って臨界速度を決定する他の関連データも、シミュレーションシステム４１からアクセス可能な別個のベータベース４５に格納およびそこから検索できる。データベース４５は、シミュレーションシステムから離れていて、例えば通信網４６で接続されていてもよい。
【０１３０】
シミュレーションシステム４１は、ソフトウェアおよびハードウェアを備えており、これらのソフトウェアおよびハードウェアは、コンピュータシミュレーション用の計算モデルによってボアホール装置１０をモデル化し；このモデルにおいて、ボトムホールアセンブリ１１のスティックモードをシミュレーションし；スリップモードに先立って、ボアホール装置１０の初期状態を表す物理量をこのモデルに適応し；このモデルにおいて、スティックモードを終了させて、ボトムホールアセンブリ１１を同じ方向に回転させ、すなわち逆方向に回転させず、また回転速度を０を上回るように維持する駆動システム１５の回転速度下限をスリップモードのシミュレーションから決定するために、適切に配置されている。
【０１３１】
本発明による電子制御装置５０は、速度制御装置２０に加えて、上記のように、下限、すなわちシミュレーションシステム４１によって時間応答シミュレーションから得られた駆動システムの臨界回転速度を格納するためのメモリを有する速度制限デバイス４７を備える。
【０１３２】
電子制御装置５０はデータ接続または電気通信網の４８によってシミュレーションシステム４１に接続される。電子制御装置５０は、電子ＰＩ制御装置あるいは、上記に開示した積分器Ａ１に従って作動する追加の積分動作を提供する制御部４９を有するＰＩ制御装置として設計できる。ある実施形態では、慣性補償器５１も速度制御装置５０に実施され、二重線５２で示されるように、また図８を参照して議論したように、駆動モータ１８の加速に応じて作動するように配置される。速度制御装置５０は全体として、ＰＩＩ制御装置として実施されてもよい。
【０１３３】
図３の等価回路図では、ドリルストリングは、単一の誘導子Ｌ２でモデル化されており、図示のように接続されている。本発明の目的で、ドリルストリングの異なる部分が、適切な断面は、インダクタンス値を有する誘導子Ｌと、例えばドリルストリングのある慣性を表す適切な容量値を有するコンデンサＣと、によってモデル化されてもよく、ここで、誘導子Ｌは、誘導子Ｌ２に直列に接続されており、コンデンサＣは、接続ノードＬ２からグラウンドまたはアースＥに接続される。異なる地中構造特性、地中構造中のドリルストリングの経路、ドリルパイプの機械的特性などを考慮に入れて、いくつかのこうした部分がモデル化されてもよい。
【０１３４】
ボアホール装置のモデルの要素に、初期条件をロードする場合、いくつかの誘導子、Ｌ、Ｌ２、Ａ１に異なる初期電流を適用してもよく、また、必要であれば、初期電圧に応じてコンデンサＣを充電してもよい。
【０１３５】
さらに、当業者には理解されるように、本発明による方法、デバイスおよび電気制御装置は、上記のように、ボアホール装置の運転に及ぼす適用されたいくつかのパラメータ設定、初期値および物理量の影響に関する研究を提供する。これは、ボアホールを掘削する間、特にスティックスリップ振動を緩和するために、ボアホール装置の所望の挙動を達成する電子制御装置の最適パラメータ装置を決定するものである。
【０１３６】
当業者であれば、ボトムホールアセンブリと駆動システムがモデル化でき、それぞれの初期条件を同様により詳細にシミュレーションするために、それぞれの回路素子を適切な物理量、すなわち電流と電荷によりロードでき得ることは理解するであろう。
【０１３７】
従って、本発明は、上記に開示した実施形態には限定されず、当業者により、創造的技量の適用を必要とせずに、本発明の範囲を超えて特許請求の範囲に開示されたように、変更・改良可能である。
【図１】
2014534369.tif 000003
【図２】
2014534369.tif 000004
【図３】
2014534369.tif 000005
【図４】
2014534369.tif 000006
【図５】
2014534369.tif 000007
【図６】
2014534369.tif 000008
【図７】
2014534369.tif 000009
【図８】
2014534369.tif 000010
【図９】
2014534369.tif 000011
【図１０】
2014534369.tif 000012
【図１１】
2014534369.tif 000013
【国際調査報告】
2014534369.tif 000014
2014534369.tif 000015
2014534369.tif 000016